(57)【要約】【課題】  従来の平行リンクに固定されている取付台に対して水平移動台を取付け、また、該水平移動台に垂直移動台を取付け、それぞれの移動台を前後方向と上下方向に移動してネジで固定することで、被施術者の首後ろとシャンプーボールの首受け部を一致させるようにしているが、この調整はネジ止めによって行うことから、前後・上下調整が非常に面倒であるといった問題があった。【解決手段】  支柱Ｂ1 に取付けられたボール基台１１に対してシャンプーボール２を、レバー１５ａの操作によって前後方向にスライド、かつ、所定の位置で固定可能とするスライド機構１を介して取付けた移動可能なシャンプーボールである。【選択図】        図２
2005230275.tif 000002
【特許請求の範囲】
【請求項１】
支柱に取付けられたボール基台に対してシャンプーボールを、レバー操作によって前後方向にスライド、かつ、所定の位置で固定可能とするスライド機構を介して取付けたことを特徴とする移動可能なシャンプーボール。
【請求項２】
前記支柱にはキャスターが取付けられ床面に対して移動可能に、あるいは、床面に固定されるシャンプーボール装置の前面側に椅子が取付けられていることを特徴とする移動可能なシャンプーボール。
【請求項３】
前記スライド機構を、前記支柱の上端に固定されたボール基台と、該基台に対してスライド自在に取付けられたガイド板と、該ガイド板に対して回動自在に軸支され、かつ、前記ボール基台に形成されたロック溝に係合・離脱可能なロック部が形成され、また、外部に露出した部分にレバーが形成されたロックレバーとより構成したことを特徴とする請求項１記載の移動可能なシャンプーボール。
【請求項４】
前記ロックレバーに、前記ロック部が前記ロック溝から離脱しないようにするためのスプリングによるバネ付勢を行ったことを特徴とする請求項３記載の移動可能なシャンプーボール。
【発明の詳細な説明】
【技術分野】
【０００１】
本発明は、理美容椅子に着座している被施術者を仰向け状態で頭髪を洗髪する、所謂、バックシャンプー用のシャンプーボール装置であって、被施術者の座高に応じてシャンプーボール装置の基台に対してシャンプーボールをスライドし、被施術者の首後ろがシャンプーボールの首受けに一致するように調整可能とした移動可能なシャンプーボールに関する。
【背景技術】
【０００２】
理美容院において複数の理美容椅子がある場合に、洗髪施術を複数の理美容椅子において同時に行うということもないのに、各理美容椅子毎にシャンプーボールを設置すると設備費に多大の経費がかかり、かつ、各理美容椅子毎にシャンプーボールを設置すると、該シャンプーボールの設置面積が増大し理美容院の空間が狭くなるという問題があった。
【０００３】
そこで、移動式のシャンプーボールを作製し、洗髪施術を行う理美容椅子の
背面側に移動し固定することで洗髪施術を行うようにすることで、少ない数のシャンプーボール装置を用意することで設備費の軽減を図るようになってきた。
【０００４】
このような移動式のシャンプーボールとしては、例えば、特開平７−２７５０６８号公報に開示されている技術がある。この公報に開示されているシャンプーボール装置は、キャスターが取付けられている基台に対して平行リンクを介してシャンプーボールを平行移動させるものである。このシャンプーボールを平行移動させるのは、シャンプーボール装置を理美容椅子の背面側に固定した時に、理美容椅子の背凭れの高さに一致させることを目的とするものであり、かつ、平行移動した場合にはシャンプーボールの高さ位置が変更してしまう。
【０００５】
また、特開２００１−２３１６５２公報に開示されている技術には、シャンプーボールの基台から延長されたアームに座部基台が取付けられ、該座部基台に座部がスライド自在に取付けられている理美容用椅子が開示されている。そして、この理美容用椅子にあっては、座高の高い被施術者の頭髪を洗髪する場合には座部を前方（シャンプーボールから離れる方向）にスライドさせることで、被施術者の首後ろをシャンプーボールの首受けにフィットさせ、また、座高の低い被施術者の場合には座部を後方（シャンプーボールに近づく方向）にスライドさせることで、座高の低い被施術者の首後ろをシャンプーボールの首受けにフィットさせことで、被施術者に疲労感を与えないようにすると共に施術者による洗髪が行い易くするものである。
【特許文献１】特開平７−２７５０６８号公報
【特許文献２】特開２００１−２３１６５２公報
【発明の開示】
【発明が解決しようとする課題】
【０００６】
ところで、前記した特開平７−２７５０６８号公報に開示されたシャンプーボールにあっては、背凭れの高さに合わせるために、シャンプーボールを後方（背凭れから離れる方向）に平行移動させた場合には、シャンプーボールの床面からの高さが低くなり、また、前方（背凭れに近づく方向）に移動させた場合にはシャンプーボールの床面からの高さが高くなる。このことは、背凭れの高さに合わせてシャンプーボールを後方に平行移動した場合に、理美容椅子に着座している被施術者の座高が低いと、該被施術者の首後ろ部分がシャンプーボールの首受け部と離れてしまい、洗髪時に安定した姿勢で洗髪が行えなくなるという問題が発生した。
【０００７】
このような問題を解決する手段として、前記した公報にあっては、平行リンクに固定されている取付台に対して水平移動台を取付け、また、該水平移動台に垂直移動台を取付け、それぞれの移動台を前後方向と上下方向に移動してネジで固定することで、被施術者の首後ろとシャンプーボールの首受け部を一致させるようにしているが、この調整はネジ止めによって行うことから、前後・上下調整が非常に面倒であるといった問題があった。
【０００８】
また、特開２００１−２３１６５２公報に開示された理美容用椅子にあっては、座部がシャンプーボールに最も近づいている状態であっても、被施術者の座高が低い場合には、該被施術者の首後ろがシャンプーボールの首受けに届かないこともあり、このような場合には座部の昇降が行えない椅子であることから、座部に座布団を乗せて被施術者の座高を実質的に高くしていたが、高さ調整の微調整が行えないため、被施術者の首後ろとシャンプーボールの首受けとのフィット感が得られ難いといった問題があった。
【０００９】
本発明は前記した問題点を解決せんとするもので、その目的とするところは、ボール基台に対してシャンプーボールを前後方向にスライド可能に支持し、レバー操作によってボール基台に対してシャンプーボールを移動およびロック可能としたことで、被施術者の首後ろとシャンプーボールの首受け部との位置合わせが簡単に行えるようにした移動可能なシャンプーボールを提供せんとするにある。
【課題を解決するための手段】
【００１０】
本発明の移動可能なシャンプーボールは前記した目的を達成せんとするもので、請求項１の手段は、支柱に取付けられたボール基台に対してシャンプーボールを、レバー操作によって前後方向にスライド、かつ、所定の位置で固定可能とするスライド機構を介して取付けたものである。
【００１１】
請求項２の手段は、前記した請求項１において、前記支柱にはキャスターが取付けられ床面に対して移動可能に、あるいは、床面に固定されるシャンプーボール装置の前面側に椅子が取付けられていることを特徴とする。
【００１２】
請求項３の手段は、前記した請求項１において、前記スライド機構を、前記支柱の上端に固定されたボール基台と、該基台に対してスライド自在に取付けられたガイド板と、該ガイド板に対して回動自在に軸支され、かつ、前記ボール基台に形成されたロック溝に係合・離脱可能なロック部が形成され、また、外部に露出した部分にレバーが形成されたロックレバーとより構成したことを特徴とする。
【００１３】
請求項４の手段は、前記した請求項３の手段において、前記ロックレバーに、前記ロック部が前記ロック溝から離脱しないようにするためのスプリングによるバネ付勢を行ったことを特徴とする。
【発明の効果】
【００１４】
本発明は前記したように、床面に対して移動可能または床面に固定された支柱にシャンプーボールを、レバー操作によって前記シャンプーボールを前後方向にスライド可能に、かつ、所定の位置で固定可能にするスライド機構を介して取付けたので、理美容椅子の背凭れ背面側に本発明のシャンプーボール装置が位置している状態で、理美容椅子に着座する被施術者の座高が高い場合にはレバー操作を行ってシャンプーボールを後方にスライドさせ、また、低い場合にはシャンプーボールを前進させることで、被施術者の座高に合わせて首後ろ部がシャンプーボールの首受け部にフットした状態となり、従って、洗髪作業において、被施術者に疲労感を与えることがなく、また、施術者も洗髪作業が行いやすくなるものである。
【００１５】
また、スライド機構におけるロックレバーのロック部は、常時、ボール基台に形成されているロック溝と係合する方向にバネ付勢されているので、ロック部とロック溝との係合状態は強固な状態となり、従って、洗髪作業中にシャンプーボールが移動して洗髪作業が中断されるようなことがないという効果を有するものである。
【発明を実施するための最良の形態】
【００１６】
本発明はボール基台に対してシャンプーボールを前後方向にスライド可能に支持し、レバー操作によってボール基台に対してシャンプーボールを移動およびロック可能とした。
【実施例１】
【００１７】
以下、本発明に係る移動可能なシャンプーボールの一実施例を図面と共に説明する。
図１において、Ａは理美容椅子、Ｂは本発明に係るシャンプーボール装置にして、キャスターＢ1 が下面の基台に取付けられた支柱Ｂ2 と、該支柱Ｂ2 の上部に図２以降に示したスライド機構１が取付けられ、該スライド機構１にシャンプーボール２が前記スライド機構１によってスライド自在に取付けられている。
【００１８】
また、支柱Ｂ2 内には、図示しない床下面に敷設されている湯水を供給するパイプおよびシャンプーボール２からの排水を流す排水パイプと連結するためのパイプ連結具Ｂ3 および該パイプ連結部に接続されシャンプーボールのシャワーヘッドに接続される湯水パイプとシャンプーボール２の排水用のトラップと接続される排水パイプとが収容されている。
【００１９】
さらに、シャンプーボール装置Ｂにおける支柱Ｂ2 の下部には、床面に固定するための固定具Ｂ4 が収容されている。従って、シャンプーボール装置Ｂ「図１（ａ）」を理美容院内を移動させて理美容椅子Ａの背凭れＡ1 の背面側に移動することで「図１（ｂ）」、前記固定具Ｂ4 によって床面に固定されると共に床下の各パイプと支柱Ｂ2 内のパイプとがパイプ接続具Ｂ3 自動的に接続される。そして、後に詳述するスライド機構１を操作して被施術者の首後ろ部をシャンプーボール２の首受け部にセットすることで「図１（ｃ）」、被施術者の頭髪の洗髪を行うことができるものである。
【００２０】
次に、スライド機構１の詳細を図２〜図６と共に説明する。
１１は前記した支柱Ｂ2 の上端に固定された背面形においてコ字状に形成されたボール基台にして、該ボール基台１１の側面にはガイドレール１１ａが取付けられている。また、ボール基台１１の上縁には複数個の円弧状のロック溝１１ｂが形成されている。
【００２１】
１２は前記ボール基台１１の外側面に配置されたガイド板にして、内面側には前記ガイドレール１１ａにガイドされるガイドレール１２ａが取付けられている。１３は前記ガイド板１２と前記ボール基台１１との間に張設された戻しスプリングにして、シャンプーボール２を後方（図３、図６において右方向）に移動した時に、シャンプーボール２を前方に向かってバネ付勢するためのものである。
【００２２】
１４は前記ガイド板１２における上端の折曲片１２ｂに取付けられたスライド上部金具にして、このスライド上部金具１４の上面にシャンプーボール２が取付けられている。従って、シャンプーボール２は理美容椅子Ａに対して前記ガイドレール１１ａ，１２ａによって前後方向にスライド可能となる。
【００２３】
１５は前記したガイド板１２に軸支され、かつ、両端の延長部が前記スライド上部金具１４の切欠部１４ａを介して突出された平面形においてコ字状に形成されたロックレバーにして、一端には折曲して形成されレバー部１５ａとなっている。また、ロックレバー１５にはスプリング引掛板１５ｂが固定され、該スプリング引掛板１５ｂとスライド上部金具１４との間にスプリング１６が張設されている。さらに、前記コ字状のロックレバー１５における背部は前記したボール基台１１に形成されたロック溝１１ｂに係合・離脱可能なロック部１５ｃとなっている。
【００２４】
なお、図４において、２１は洗髪施術時において被施術者の首後ろ部を受けるためのシャンプーボール２の周縁に形成された首受け部、図４、図５において、２２はシャンプーボール２の底面に形成された排水用のトラップである。
【００２５】
次に、前記した構造に基づいて動作を説明するに、図２〜図５はシャンプーボール２が最後部まで退いている状態を示している。従って、ロックレバー１５のロック部１５ｃは、最終端（図２、図３における右端）のロック溝１１ｂに係合されている状態である。
【００２６】
この状態において、シャンプーボール装置Ｂを移動して理美容椅子Ａの背凭れＡ1 の背面にセットした後、被施術者を伏倒させた状態において、該被施術者の座高が低いために、首後ろ部がシャンプーボール２の首受け部２１より離れている状態の場合には、施術者がロックレバー１５のレバー部１５ａをスプリング１６のバネ力に抗して反時計方向に回動することで、ロック部１５ｃが同じく反時計方向に回動されるので、ボール基台１１に形成されているロック溝１１ｂより離脱してスライド上部金具１４はフリーな状態となる。
【００２７】
そこで、施術者はシャンプーボール２を左方向（前進方向）に移動して被施術者の首後ろ部がシャンプーボール２の首受け部２１に一致するようにする。なお、シャンプーボール２の左方向に対してはスプリング１３のバネ力が作用しているので、シャンプーボール２の移動には小さな力でよい。そして、被施術者の首後ろ部がシャンプーボール２の首受け部２１に一致させた状態で、レバー部１５ａから手を離すと、ロックレバー１５はスプリング１６のバネ力に抗して時計方向に回動される。
【００２８】
すると、ロック部１５ｃはボール基台１１のロック溝１１ｂ側に移動するので、該ロック部１５ｃに一番近いロック溝１１ｂと係合され、スライド上部金具１４はロックされた状態となるので、シャンプーボール２はボール基台１１に対して固定された状態となる。なお、ロック部１５ｃとロック溝１１ｂとが位置的に合わない場合には、被施術者の頭部を少し上げてシャンプーボール２に係る重量を無くすことで、スプリング１３のバネ力によってスライド上部金具１４が右方向に移動して、一番近いロック溝１１ｂにロック部１５ｃが係合されて、その位置で固定されることとなる。
【００２９】
なお、前記した動作はシャンプーボール２を左方向（被施術者に向かって近づく方向）に向かってスライドさせる場合について説明したが、右方向（被施術者に向かって離れる方向）にスライドさせる場合も、前記した操作と同じ操作をすることにより行える。この場合には、スプリング１３のバネ力に抗して行うこととなるので、シャンプーボール２を移動させるのにスプリング１３のバネ力よりも強い力が必要となる。
【００３０】
前記した実施例にあっては、シャンプーボール装置Ｂは移動式の場合について説明したが、該シャンプーボール装置Ｂに支柱Ｂ1 を床面に固定してもよく、また、床面に固定された支柱Ｂ1 に従来例のようにアームを介して、あるいは、該支柱Ｂ1 が固定されている基台等の支持部材に直接的に椅子を取付けてもよい。すなわち、シャンプーボール装置Ｂの前面側に椅子を取付けてもよい。
【００３１】
前記椅子がシャンプーボール装置Ｂの前面側に取付けられた場合において、該椅子の座部を前後動するように構成すると共に背凭れも伏倒自在とすることで、本発明のシャンプーボール２の前後動との共動によって、子供と大人のように座高に違いがあっても、被施術者の首後ろ部とシャンプーボール２の首受け部２１とをフィットさせることが可能となる。
【図面の簡単な説明】
【００３２】
【図１】本発明の移動可能なシャンプーボールの概略を説明するための側面図にして、（ａ）はシャンプーボール装置単体を示す側面図、（ｂ）はシャンプーボール装置を理美容椅子に近接した状態を示す側面図、（ｃ）は（ｂ）においてシャンプーボールを前進させた状態を示す側面図である。
【図２】シャンプーボールとスライド機構との関係を示し、かつ、ロック状態を示す側面図である。
【図３】同上のスライド機構部分を拡大した側面図である。
【図４】図２の背面側から見た背面図である。
【図５】図３の背面側から見たスライド機構部分を拡大した背面図である。
【図６】ロックレバーのロック部がロック溝から離脱した状態の拡大側面図である。
【符号の説明】
【００３３】
Ａ          理美容椅子
Ｂ          シャンプーボール装置
Ｂ2         支柱
１１        ボール基台
１１ａ      ガイドレール
１１ｂ      ロック溝
１２        ガイド板
１２ａ      ガイドレール
１４        スライド上部金具
１５        ロックレバー
１５ａ      レバー部
１５ｃ      ロック部
１６        スプリング
【図１】
2005230275.tif 000003
【図２】
2005230275.tif 000004
【図３】
2005230275.tif 000005
【図４】
2005230275.tif 000006
【図５】
2005230275.tif 000007
【図６】
2005230275.tif 000008